(57)【特許請求の範囲】
【請求項１】
通常時に、ＴＳストリームとして与えられる番組をディジタル放送の特定のセグメントを介して送信する放送装置であって、
緊急時に、前記番組に代えて、前記ＴＳストリームと異なるＴＳストリームとして与えられる緊急情報を前記特定のセグメントを介して送信する制御手段を備えた
ことを特徴とする放送装置。
【請求項２】
通常時に、ディジタル放送系の送信機に、ＴＳストリームとして与えられる番組を送出する番組送出装置であって、
緊急時に、前記ＴＳストリームと異なるＴＳストリームとして与えられる緊急情報を前記番組に代えて送出する制御手段を備えた
ことを特徴とする番組送出装置。
【請求項３】
通常時に、放送されるべきコンテンツを示すＴＳストリームをディジタル放送系に配信する番組配信装置であって、
緊急時に、前記ＴＳストリームと異なるＴＳストリームとして与えられる緊急情報を前記コンテンツに代えて配信する制御手段を備えた
ことを特徴とする番組配信装置。
【発明の詳細な説明】
【技術分野】
【０００１】
本発明は、ディジタル放送の特定のセグメントに番組を送信する放送装置と、放送系または放送局において既定のスケジュールに基づいて放送されるべき番組を送信機に番組送出装置と、放送されるべきコンテンツを放送系に配信する番組配信装置とに関する。
【背景技術】
【０００２】
近年、広範に普及した携帯電話等の端末の多くは、ワンセグ放送の視聴を可能とするチューナが搭載され、多様な分野への活用が期待されている。
【０００３】
このような端末は、ユーザによって常時携帯される可能性が高いために、ユーザが位置する地域や地点における多様な自主放送の聴取に併せて、これらの地域や地点の如何にかかわらず災害の予報その他の緊急情報の迅速な伝達を可能とするツールとしての活用が期待されている。
【０００４】
従来のディジタル放送系では、個々の放送局は、通常時には、既定のセグメントを介して放送を行う。
【０００５】
また、これらの放送局は、災害の予告その他の緊急状態については、放送中の番組に字幕等として伝達している。
しかし、このような緊急状態の伝達については、ディジタル放送の特性を活用することにより、例えば、通常時の放送に供されていたチャネル（セグメント）（以下、「通常放送チャネル」という。）に代えて、災害時の放送に適用されるべき既定のチャネル（以下、「緊急放送チャネル」という。）を介して緊急情報を放送することも可能である。なお、緊急放送チャネルを介して複数の放送局が並行して緊急情報を放送することに起因する混信等は、個々の放送局の無線ゾーンと、地理的に隣接する他の放送局の無線ゾーンとがオーパラップする地域までの放送波の伝搬所要時間の差がガードインターバル（≒１２６μ秒）以下に設定されることによって、回避が可能である。
【０００６】
なお、本発明に関連する先行技術としては、例えば、以下に列記する特許文献１ないし特許文献８があった。
【０００７】
(1) 「情報サービス提供元から複数のコンテンツを取得し、該複数のコンテンツをオンエア期間が来たときにそれぞれ１放送チャネルを含むメッセージダウンロードを処理するセル放送マップ用パケットに変換し、それぞれのセル放送マップ用パケットを対応する交換機へダウンロードし、該交換機は受信した前記セル放送マップ用パケットを専用に設けた放送用物理チャネルの１スーパーフレーム毎にそれぞれ設定し指定された放送エリアの基地局を介して移動機へ送信し、該移動機は受信したチャネルのコンテンツを表示部で表示する」ことによって、「異なる多数の文字情報を地域毎の全加入者に対し同時に選択的に提供することができ、かつ緊急情報では早急に提供できる」点に特徴があるデジタル無線電話による文字情報放送方法及びその放送システム…特許文献１
【０００８】
(2) 「ディジタル放送の特定のチャネルの電波を選択的に受信する第１のチューナ部と、該第１のチューナ部にて受信された受信信号を復調して目的とする情報を取り出すための第１の復調部と、前記情報を保持する第１の記憶部とを有する第１のディジタル放送受信端末と、前記ディジタル放送の特定のチャネルの電波を選択的に受信する第２のチューナ部と、該第２のチューナ部にて受信された受信信号を復調して目的とする情報を取り出すための第２の復調部と、前記情報を保持する第２の記憶部とを有する第２のディジタル放送受信端末とを備え、前記第２のディジタル放送受信端末が着脱可能に接続されるように構成される」ことによって、「ディジタル放送の一つのチャネルの情報を受信している最中に他のチャネルのサービス等の情報を受信する」点に特徴があるディジタル放送受信装置…特許文献２
【０００９】
(3) 「キャリア信号発生回路１０−１、１０−２、…１０−８から発生されたラジオ、テレビ等の受信チャネルに対応する複数の周波数帯の複数のキャリア信号で音声合成ＩＣ４０から出力またはハンドマイク２１０から入力された所定の緊急警報を行う音声信号を変調回路２０−１、２０−２、…２０−８で変調し、この変調回路２０−１、２０−２、…２０−８の出力をコンバイナ回路６０で合成してアンテナ２２０から送信し、このアンテナ２２０から送信された音声信号を受信中の一般のラジオ、テレビ等の音声に混信させて緊急警報情報の報知を行う」ことによって、「一般のラジオ、テレビ等の公共放送無線受信装置を用いて特定の地域に密着した最適な緊急警報情報を報知することができる」点に特徴がある緊急警報発生装置…特許文献３
【００１０】
(4) 「基地局は情報サービス提供元から取得した複数のコンテンツを所定の時間間隔で送信される放送用物理チャネルに設定し移動機へ送信し、移動機は前記放送用物理チャネルを受信するタイミングを設定し、待ち受け時に前記設定されたタイミングにより放送用物理チャネルを受信し、受信した前記コンテンツを待ち受け画面に表示する」ことによって、「異なる多数の文字情報を地域毎の全加入者に対し同時に選択的に提供することができ、かつ緊急情報では早急に提供できる」点に特徴があるデジタル無線電話による文字情報放送方法及びその放送システム…特許文献４
【００１１】
(5) 「情報サービス提供元から複数のコンテンツを取得し、該複数のコンテンツをオンエア期間が来たときにそれぞれ１放送チャネルを含むメッセージダウンロードを処理するセル放送マップ用パケットに変換し、それぞれのセル放送マップ用パケットを対応する交換機へダウンロードし、該交換機は受信した前記セル放送マップ用パケットを専用に設けた放送用物理チャネル(ＢＰＣＨ)の１スーパーフレーム毎に放送チャネルとして割り当てて基地局から繰り返し送信されるように設定するとともに、前記放送用物理チャネル(ＢＰＣＨ)を共通制御チャネル(ＣＣＨ)に隣接するタイムスロットに設定して指定された放送エリアの基地局を介して移動機へ送信し、移動機は共通制御チャネル(ＣＣＨ)内の一斉呼出チャネル(ＰＣＨ)を受信する受信期間を延長して一斉呼出チャネル(ＰＣＨ)と共に放送用物理チャネル(ＢＰＣＨ)を受信し、受信した放送用物理チャネル(ＢＰＣＨ)に割り当てられた放送チャネルのコンテンツを待ち受け画面に表示する」ことによって、「異なる多数の文字情報を地域毎の全加入者に対し同時に選択的に提供することができ、かつ緊急情報では早急に提供できる」点に特徴があるデジタル無線電話による文字情報放送方法及びその放送システム…特許文献５
【００１２】
(6) 「地上デジタルテレビ放送局から放送された複数セグメント放送とワンセグメント放送の両者が受信可能で、ＴＶ放送またはデータ放送の映像・音声信号を受信する受信手段と、受信した映像・音声信号に基づき映像・音声を出力する出力手段と、受信信号から緊急警報放送の開始を検出する緊急警報放送開始検出手段と、受信信号から緊急警報放選局情報を抽出する抽出手段と、緊急警報信号が検出されると緊急警報放送選局情報に基づき受信手段に対し選局制御を行なって緊急警報放送を受信させる受信制御手段と、を備えた緊急警報放送受信機能付受信機において、受信制御手段は、緊急警報放送の選局制御をする際、選局先の地上デジタルテレビ放送局がワンセグメント放送を放送中のときは、受信手段にワンセグメント放送を優先して受信させるようにしたこと、」ことによって、「災害情報をより確実に入手できる」点に特徴がある緊急警報放送受信機能付受信機…特許文献６
【００１３】
(7) 「地上デジタルテレビジョン放送波からＡＣ信号を受信する受信機であって、ＴＭＣＣ信号と同一フレーム長であり、ＴＭＣＣ信号と同一の位相基準及び同期信号と、少なくとも緊急地震速報の有無を識別するフラグと、緊急地震速報を含む緊急速報とを格納する電文情報が、送信側からＡＣキャリアにて伝送されるように予め規定されており、地上デジタルテレビジョン放送波を受信してＡＣキャリアを復調する復調部と、前記位相基準及び前記同期信号に基づいてフレーム同期を行って、前記フラグの値のみを常時監視する監視手段と、前記監視手段によって前記フラグが緊急地震速報である旨を表すフラグ値を判別した場合にのみ、前記緊急地震速報を復号する復号手段と、前記復号した緊急地震速報の情報から、当該受信機の位置する地域の震度及び到達予測時間の予測情報を計算する予測情報計算手段とを備える」ことによって、「地上デジタルテレビジョン放送の受信機への迅速、且つ、確実な緊急地震速報の伝達を可能とする」点に特徴がある受信機…特許文献７
【００１４】
(8) 「地上デジタルテレビジョン放送波からＡＣ信号を受信する受信機に、ＴＭＣＣ信号と同一フレーム長であり、同期信号を兼ねた、少なくとも緊急地震速報の有無を識別するフラグであって、平常時であるか、又は緊急警報放送或いは緊急地震速報が発せられた時であるかを区別可能なＮビット（Ｎは整数）の符号列が付与されたフラグと、緊急地震速報を含む緊急速報とを格納する電文情報をＡＣ信号にて伝送する」ことによって、「緊急警報放送または緊急地震速報が発せられた際に、迅速、かつ、確実に受信可能とする送信装置」点に特徴がある地上デジタルテレビジョン放送用の送信装置…特許文献８
【先行技術文献】
【特許文献】
【００１５】
【特許文献１】特開２００１−１９７０２１号公報
【特許文献２】特開２００５−１６７９１５号公報
【特許文献３】特開２００５−１８２３８１号公報
【特許文献４】特開２００７−０６０７１５号公報
【特許文献５】特許第３９１８０６４号公報
【特許文献６】特開２００９−０４４４５３号公報
【特許文献７】特開２００９−２１３１０５号公報
【特許文献８】特開２００９−２７２９５４号公報
【発明の概要】
【発明が解決しようとする課題】
【００１６】
ところで、上述した従来例では、通常放送チャネルとは別に確保され、かつ実質的に異なる緊急放送チャネルを介して緊急情報が放送されるため、端末や受信機は、通常放送チャネルから緊急放送チャネルへのチャネルを切り替えなければ、このような緊急情報を受信できなかった。
【００１７】
また、放送局では、通常放送チャネルで行われていた放送に代えて、緊急放送チャネルを介する緊急情報の放送を行うために、放送装置の設定が変更され、あるいは放送装置が切り替えられなければならなかった。
【００１８】
本発明は、ディジタル放送の提供および視聴に供される装置の構成が大幅に変更されることなく、全ての端末や受信機のユーザに緊急情報を確度高く伝達できる放送装置、番組送出装置および番組配信装置を提供することを目的とする。
【課題を解決するための手段】
【００１９】
請求項１に記載の発明に係る放送装置では、通常時に、ＴＳストリームとして与えられる番組をディジタル放送の特定のセグメントを介して送信する。制御手段は、緊急時に、前記番組に代えて、前記ＴＳストリームと異なるＴＳストリームとして与えられる緊急情報を前記特定のセグメントを介して送信する。
すなわち、緊急時には、通常時において上記番組が放送されていた特定のセグメントを介して、緊急情報が送信される。
【００２０】
請求項２に記載の発明に係る番組送出装置では、通常時に、ディジタル放送系の送信機に、ＴＳストリームとして与えられる番組を送出する。制御手段は、緊急時に、前記ＴＳストリームと異なるＴＳストリームとして与えられる緊急情報を前記番組に代えて送出する。
すなわち、緊急時には、放送系の送信機は、通常時に送信されていた番組に代えて緊急情報を送信することができる。
【００２１】
請求項３に記載の発明に係る番組配信装置では、通常時に、放送されるべきコンテンツを示すＴＳストリームをディジタル放送系に配信する。制御手段は、緊急時に、前記ＴＳストリームと異なるＴＳストリームとして与えられる緊急情報を前記コンテンツに代えて配信する。
すなわち、緊急時には、上記放送系は、通常時に放送されていたコンテンツに代えて緊急情報を放送することができる。
【発明の効果】
【００２３】
本発明によれば、番組を視聴している端末のユーザは、その番組に変わる緊急情報を速やかに、かつ特別の操作を伴うことなく視聴することができる。
また、本発明によれば、緊急情報の伝送に供される通信路や伝送路の形成のためにその緊急情報の放送が遅れる時間が確度高く短縮される。
【００２４】
したがって、本発明が適用された放送系では、緊急時には、通常時における放送に供されていたセグメントを介して緊急情報の放送が速やかに開始され、しかも、その緊急情報の視聴に供される端末のユーザに特別な操作が強要されないため、緊急情報の迅速かつ確実な伝達が実現される。
【図面の簡単な説明】
【００２５】
【図１】本発明の第一の実施形態を示す図である。
【図２】本発明の第二の実施形態を示す図である。
【図３】本発明の第三の実施形態を示す図である。
【図４】本発明の第四の実施形態を示す図である。
【発明を実施するための形態】
【００２６】
以下、図面に基づいて本発明の実施形態について詳細に説明する。
［第一の実施形態］
図１は、本発明の第一の実施形態を示す図である。
図において、予め制作された番組コンテンツが登録されたコンテンツサーバ１０と、緊急情報サーバ９０とは、ネットワーク２０を介して番組送出装置３０に接続され、その番組送出装置３０が有する所定の数Ｎ（≧１）のポートは多重化装置４０の対応する入力ポートに接続される。多重化装置４０が有する所定の数ｎ（≦Ｎ）の出力ポートは、それぞれ送信機５０-1〜５０-nを介してアンテナ６０-1〜６０-nの給電点に接続される。これらのアンテナ６０-1〜６０-nによって形成される無線ゾーン６０Zには、番組の視聴を可能とするチューナ（図示されない。）を個別に有する携帯端末７１、テレビ７２およびラジオ７３が位置する。
【００２７】
上記番組送出装置３０および多重化装置４０は放送局８０の局舎に配置され、その放送局８０には、放送業務の担当者とこれらの番組送出装置３０および多重化装置４０との間におけるインタフェースをとる制御端末８１が配置される。なお、送信機５０-1〜５０-nは、何れも、放送局８０の局舎と、その局舎とは異なるサイト（例えば、放送タワーの頂部や山頂等に接地された送信所）との何れに配置されてもよい。
【００２８】
送信機５０-1は、以下の要素から構成される。
(1) ネットワーク２０に接続された緊急情報処理部５１-1
(2) その緊急情報処理部５０-1の出力と、多重化装置４０の対応するポートとにそれぞれ接続された２つの入力を有する切り替え器５２-1
(3) 切り替え器５２-1に縦続接続された変調器５３-1
【００２９】
(4) 変調器５３-1に縦続接続され、かつアンテナ６０-1の給電点に接続された電力増幅器５４-1
(5) 緊急情報処理部５１-1、切り替え器５２-1、変調器５３-1および電力増幅器５４-1の制御端子に接続された入出力ポートに併せて、ネットワーク２０に接続された通信ポートを有するプロセッサ５５-1
【００３０】
なお、送信機５０-2〜５０-nの構成については、送信機５０-1の構成と同じであるので、ここでは、図示および説明を省略し、以下では、機能および構成が同じ要素については、添え番号「１」に代わる添え番号「２」〜「ｎ」を同じ符号に付加して示すこととする。
【００３１】
また、以下では、送信機５０-1〜５０-nに何れにも同様に当てはまる事項については、添え番号「１」〜「n」の何れにも該当し得ることを意味する添え文字「ｃ」を関連する要素の符号に付加して記述する。
【００３２】
本実施形態の特徴は、「緊急情報」を送信するために後述する通りに行われる送信器５０-cの動作にある。
以下、このような動作の前提となる各部の基本的な動作を説明する。
【００３３】
コンテンツサーバ１０には、放送局８０から送信されるべき番組コンテンツが予め登録される。
番組送出装置３０は、セグメント毎または送信機５０-1〜５０-n毎に既定のスケジュールに基づいて放送されるべき番組を個別に識別し、ネットワーク２０を介してコンテンツサーバ１０と連係する。
【００３４】
コンテンツサーバ１０は、このような連係の下でネットワーク２０を介して番組送出装置３０宛に上記放送されるべき番組の番組コンテンツを転送する。
番組送出装置３０は、これらの転送された番組コンテンツを多重化装置４０に引き渡す。
【００３５】
多重化装置４０は、上記転送された番組コンテンツに基づいて、例えば、以下の処理を行うことにより、送信機５０-cを介して送信（放送）されるべきＴＳストリームを生成する。
(1) 番組送出装置３０が番組毎に与える制御情報，あるいは制御端末８１を介して与えられる指示に基づくＴＳストリームの速度やパケットの数の設定
(2) 受信機である携帯端末７１、テレビ７２、ラジオ７３と、送信機５０-cと間における時刻の同期の基準として上記ＴＳストリームに含まれる情報ＰＣＲ(Program Clock Reference) の書き換え
【００３６】
(3) 上記ＴＳストリームに対する送信制御情報の付加（多重化）
(4) 上記ＴＳストリームに含まれるコンテンツのリストＰＭＴ(Program Map Table)上において該当するコンテンツを示すＰＩＤに基づくフィルタリング
(5) 番組特定情報ＰＳＩ(Program Specific Information)と、番組配信情報ＳＩ(Program Specific Information)との上記ＴＳストリームに対する付加（多重化）
【００３７】
送信機５０-cは、このようにして生成されたＴＳストリームを放送波に変換して送信する。
【００３８】
無線ゾーン６０Ｚに位置する携帯端末７１、テレビ７２、ラジオ７３は、その放送波を受信して上記ＴＳストリームを復元し、さらに、画像や音声に変換することにより、ユーザによる該当する番組の視聴を可能とする。
なお、上記各部の基本的な動作については、後述する第二ないし第四の実施形態でも同様である。
【００３９】
以下、本実施形態において既述の「緊急情報」が送信されるために行われる各部の動作を説明する。
緊急情報サーバ９０は、地震、洪水、津波、大規模火災その他の緊急状態が予測されあるいは発生すると、ネットワーク２０を介して関連する機関や放送局（放送系）にその緊急状態に関する情報（以下、「緊急情報」という。）を配信する。
【００４０】
送信機５０-cでは、プロセッサ５５-cは、このような緊急情報が配信されていない通常状態では、配下の切り替え器５２-cを介して変調器５３-cに、多重化装置４０によって生成された既述のＴＳストリームを引き渡す。変調器５３-cは、そのＴＳストリームに基づいて所定の搬送波信号（例えば、特定の１つのセグメントに対応する。）を変調することにより放送波（以下、「通常放送波」という。）を生成する。電力増幅器５４-cは、プロセッサ５５-cの配下で、その放送波を増幅し、かつアンテナ６０-cを介して無線ゾーン６０Ｚに送信する。なお、このような変調は、プロセッサ５５-cによって指示された形態で行われる。
【００４１】
また、緊急情報処理部５１-cは、上記緊急情報が配信されて来た場合には、その旨（以下、「緊急報知情報」という。）をプロセッサ５５-cに通知し、さらに、該当する緊急情報を示し、かつ上記ＴＳストリームと代替されるべきＴＳストリーム（以下、「緊急情報ストリーム」という。）を生成する。なお、このような緊急情報ストリームは、例えば、ネットワーク２０を介してコンテンツサーバ１０や緊急情報サーバ９０から配信され（る情報に基づいて生成され）てもよい。
【００４２】
プロセッサ５５-cは、上記緊急報知情報を識別すると、通常の放送より緊急情報の放送が優先されるべき旨を示す「緊急情報優先指令」を切り替え器５２-cに与える。
切り替え器５２-cは、その緊急情報優先指令が与えられると、多重化装置４０から与えられるＴＳパケットに代えて、上記「緊急情報ストリーム」を変調器５３-cに与える。
【００４３】
変調器５３-cおよび電力増幅器５４-cは、その緊急情報ストリームに基づいて上記所定の搬送波信号を変調することにより、既述の通常放送波に代わる緊急放送波を生成し、かつアンテナ６０-cを介して無線ゾーン６０Ｚに送信する。
【００４４】
すなわち、送信機５０-1〜５０-nによって行われる送信の対象となるセグメントは、緊急時にも通常放送波に代わる緊急放送波の送信（放送）に供されるため、
携帯端末７１、テレビ７２、ラジオ７３のユーザは、通常放送波が受信されていたセグメントから他のセグメントに受信の対象を切り替えることなく緊急情報を視聴することができる。したがって、従来例に比べて緊急情報の視聴にかかわる操作が大幅に簡略化され、その操作に伴う緊急情報の伝達の遅れが回避される。
【００４５】
また、本実施形態では、送信機５０-cは、既述の各部の基本的な動作を実現する変調器５３-c、電力増幅器５４-cおよびプロセッサ５５に、緊急情報処理部５１-cおよび切り替え器５２-cが付加される軽微の構成の変更により実現される。
【００４６】
したがって、本実施形態に係る放送系では、既存の構成が大幅に変更されることなく、かつ安価に緊急情報の伝達の効率化および即時化が図られる。
【００４７】
［第二の実施形態］
図２は、本発明の第二の実施形態を示す図である。
図において、図１に示すものと機能および構成が同じものについては、同じ符号を付与し、ここでは、その説明を省略する。
【００４８】
本実施形態と既述の第一の実施形態との構成の相違点は、以下の点にある。
(1) 送信機５０-1〜５０-nに代えて、送信機５０Ａ-1〜５０Ａ-nが備えられる。
(2) 番組送出装置３０に代えて番組送出装置３０Ａが備えられる。
【００４９】
送信機５０Ａ-1と送信機５０-1との構成の相違点は、以下の点にある。
(1) 緊急情報処理部５１-1および切り替え器５２-1が備えられない。
(2) 多重化装置４０の対応する出力ポートが、切り替え器５２-1を介することなく変調機５３-1の入力に接続される。
【００５０】
なお、送信機５０Ａ-2〜５０Ａ-nの構成については、送信機５０Ａ-1の構成と同じであるので、ここでは、図示および説明を省略し、以下では、機能および構成が同じ要素については、添え番号「１」に代わる添え番号「２」〜「ｎ」を同じ符号に付加して示すこととする。
【００５１】
また、以下では、送信機５０Ａ-1〜５０Ａ-nに何れでも同様に当てはまる事項については、添え番号「１」〜「n」の何れにも該当し得ることを意味する添え文字「ｃ」を関連する要素の符号に付加して記述する。
【００５２】
番組送出装置３０Ａは、以下の要素から構成される。
(1) バス３１
(2) ネットワーク２０に接続されたネットワークインタフェース部３２
【００５３】
(3) 多重化装置４０の対応する入力ポートに個別に接続されたポート対応部３３-1〜３３-N
(4) 上記ネットワークインタフェース部３１およびポート対応部３２-1〜３２-Nと共に、バス３１上に接続されたプロセッサ３４、緊急情報処理部３５および外部記憶装置３６
【００５４】
本実施形態の特徴は、番組送出装置３０Ａの各部が以下の通りに連係する点にある。
緊急情報が配信されていない通常状態では、番組送出装置３０Ａに備えられたプロセッサ３４は、主記憶（図示されない。）または外部記憶装置３６に格納され、かつセグメント毎または送信機５０-1〜５０-n毎に設定された放送スケジュールに基づいて放送局８０から放送されるべき個々の番組を識別し、ネットワークインタフェース部３２およびネットワーク２０を介してコンテンツサーバ１０と連係する。
【００５５】
コンテンツサーバ１０は、このような連係の下でネットワーク２０を介して番組送出装置３０Ａ宛に上記個々の番組の番組コンテンツを転送する。
【００５６】
番組送出装置３０Ａでは、ネットワークインタフェース部３２は、プロセッサ３４の配下で作動し、ポート対応部３３-1〜３３-Nの内、上記転送された番組コンテンツの放送に供されるべき送信機（送信機５０Ａ-1〜５０Ａ-nの何れか）に対応したポート対応部との間にバス３１を介して形成されたＤＭＡチャネルと、そのポート対応部とを介して多重化装置４０に、その番組コンテンツを引き渡す。なお、このような番組コンテンツの引き渡しの過程では、コンテンツサーバ１０からネットワークインタフェース部３２に至る区間の伝送速度と、ポート対応部と多重化装置４０との間における伝送速度との相違を吸収するために、外部記憶装置３６がバッファメモリとして機能してもよい。
【００５７】
このようにして引き渡された番組コンテンツは、多重化装置４０によってＴＳストリームに変換され、さらに、送信機５０Ａ-Cによって放送波として無線ゾーン６０Zに送信される。
【００５８】
また、番組送出装置３０Ａでは、プロセッサ３４は、地震、洪水、津波、大規模火災その他の緊急状態が予測され、あるいは発生した時に緊急情報サーバ９０からネットワーク２０を介して配信された緊急情報を識別すると、緊急情報処理部３５を起動し、かつネットワークインタフェース部３２とポート対応部３３-1〜３３-Nとの間（外部記憶装置３６が介在してもよい。）に形成されているＤＭＡチャネルを解除する。さらに、プロセッサ３４は、これらのＤＭＡチャネルに代わる「代替ＤＭＡチャネル」を緊急情報処理部３５とポート対応部３３-1〜３３-Nとの間に形成する。
【００５９】
緊急情報処理部３５は、上記緊急情報を示し、かつ既述の番組コンテンツと代替されるべき「緊急番組コンテンツ」を生成する。なお、このような緊急番組コンテンツは、例えば、ネットワーク２０を介してコンテンツサーバ１０や緊急情報サーバ９０から配信されてもよい。
【００６０】
さらに、緊急情報処理部３５は、代替ＤＭＡチャネルおよびポート対応部３３−１〜３３-Nを介して多重化装置４０の対応する入力ポートに、上記「緊急番組コンテンツ」を引き渡す。
【００６１】
多重化装置４０は、その緊急番組コンテンツをＴＳストリームに変換し、さらに、送信機５０Ａ-Cを介して無線ゾーン６０Zに放送波として送信される。
すなわち、送信機５０Ａ-1〜５０Ａ-nによって行われる送信の対象であるセグメントは、何れも、緊急時には、通常放送波に代わる緊急放送波の送信（放送）に供されるため、携帯端末７１、テレビ７２、ラジオ７３のユーザは、通常放送波が受信されていたセグメントから他のセグメントに受信の対象を切り替えることなく、緊急情報を視聴することができる。
【００６２】
また、本実施形態では、番組送出装置３０Ａは、既述の各部の基本的な動作を実現するネットワークインタフェース部３２、プロセッサ３４およびポート対応部３３-1〜３３-Nに、緊急情報処理部３５が付加される軽微の構成の変更により実現され、従来例に比べて、緊急情報の視聴にかかわる操作が大幅に簡略化され、その操作に伴う緊急情報の伝達の遅れが回避される。
【００６３】
したがって、本実施形態に係る放送系では、既存の構成が大幅に変更されることなく、かつ安価に緊急情報の伝達の効率化および即時化が図られる。
なお、本実施形態では、緊急情報処理部３５およびポート対応部３３-1〜３３-Nは、必ずしも番組送出装置３０Aに備えられなくてもよく、例えば、ネットワークインタフェース部３２と、これらの連係および機能を既述の通りに実現するためにプロセッサ３４によって実行されるソフトウェアと共に、以下の何れに配置されてもよい。
(1) 多重化装置４０の初段または入力端
(2) 多重化装置の出力端または最終段
【００６４】
［第三の実施形態］
図３は、本発明の第三の実施形態を示す図である。
図において、図１に示すものと機能および構成が同じものについては、同じ符号を付与し、ここでは、その説明を省略する。
【００６５】
本実施形態と既述の第一の実施形態との構成の相違点は、以下の点にある。
(1) 送信機５０-1〜５０-nに代えて、送信機５０Ａ-1〜５０Ａ-nが備えられる。
(2) コンテンツサーバ１０に代えてコンテンツサーバ１０Ａが備えられる。
【００６６】
コンテンツサーバ１０Ａは、以下の要素により構成される。
(1) ネットワーク２０に接続されたネットワークインタフェース部１１
(2) バス１２
(3) ネットワークインタフェース部１１と共にバス１２に接続されたプロセッサ１３、外部記憶装置１４および緊急情報処理部１５
【００６７】
本実施形態の特徴は、コンテンツサーバ１０Ａの各部が以下の通りに連係する点にある。
外部記憶装置１４には、放送局８０を介して放送されるべき番組コンテンツが予め蓄積される。
【００６８】
緊急情報が配信されていない通常状態では、コンテンツサーバ１０Ａに備えられたプロセッサ１３は、外部記憶装置１４に蓄積された番組コンテンツの内、番組送出装置３０から与えられる要求に対応する番組コンテンツを特定する。
【００６９】
コンテンツサーバ１０Ａでは、ネットワークインタフェース部１１は、プロセッサ１３の配下で作動し、外部記憶装置１４との間にバス１２を介して形成されたＤＭＡチャネルを介してネットワーク２０に、上記特定された番組コンテンツを引き渡す。
【００７０】
したがって、このような番組コンテンツは、番組送出装置３０および多重化装置４０によってＴＳストリームに変換され、さらに、送信機５０Ａ-Cによって放送波として無線ゾーン６０Zに送信される。
【００７１】
また、コンテンツサーバ１０Ａでは、プロセッサ１３は、地震、洪水、津波、大規模火災その他の緊急状態が予測され、あるいは発生した時に緊急情報サーバ９０からネットワーク２０を介して配信された緊急情報を識別すると、緊急情報処理部１５を起動し、その緊急情報処理部１５とネットワークインタフェース部１１との間に代替ＤＭＡチャネルを形成する。
【００７２】
緊急情報処理部１５は、上記緊急情報を示し、かつ既述の番組コンテンツと代替されるべき「緊急番組コンテンツ」を生成する。なお、このような緊急番組コンテンツは、例えば、ネットワーク２０を介してコンテンツサーバ１０から配信され、あるいは外部記憶装置１４の特定の記憶領域に予め蓄積されていてもよい。
【００７３】
さらに、緊急情報処理部１５は、上記ＤＭＡチャネルおよびネットインタフェース部１１を介してネットワーク２０に上記「緊急番組コンテンツ」を送出する。
【００７４】
放送局８０では、番組送出装置３０および多重化装置４０は、その緊急番組コンテンツをＴＳストリームに変換し、さらに、送信機５０Ａ-Cを介して無線ゾーン６０Zに緊急放送波として送信する。
【００７５】
すなわち、送信機５０Ａ-1〜５０Ａ-nによって行われる送信の対象であるセグメントは、何れも、緊急時には、通常放送波に代わる緊急放送波の送信（放送）に供されるため、携帯端末７１、テレビ７２、ラジオ７３のユーザは、通常放送波が受信されていたセグメントから他のセグメントに受信の対象を切り替えることなく緊急情報を視聴することができる。
【００７６】
したがって、従来例に比べて緊急情報の視聴にかかわる操作が大幅に簡略化され、その操作に伴う緊急情報の伝達の遅れが回避される。
【００７７】
また、本実施形態では、コンテンツサーバ１０Ａは、既述の各部の基本的な動作を実現するネットワークインタフェース部１１、プロセッサ１３および外部記憶装置１４に、緊急情報処理部１５が付加される軽微の構成の変更により実現される。
【００７８】
したがって、本実施形態に係る放送系では、既存の構成が大幅に変更されることなく、かつ安価に緊急情報の伝達の効率化および即時化が図られる。
【００７９】
［第四の実施形態］
図４は、本発明の第四の実施形態を示す図である。
図において、図１に示すものと機能および構成が同じものについては、同じ符号を付与し、ここでは、その説明を省略する。
【００８０】
本実施形態と既述の第一の実施形態との構成の相違点は、以下の点にある。
(1) 送信機５０-1〜５０-nに代えて、送信機５０Ａ-1〜５０Ａ-nが備えられる。
(2) コンテンツサーバ１０に代えてコンテンツサーバ１０Ｂが備えられる。
(3) 緊急情報サーバ９０に代えて緊急情報サーバ９０Ａが備えられる。
【００８１】
緊急情報サーバ９０Ａは、以下の要素により構成される。
(1) ネットワーク２０に接続されたネットワークインタフェース部９１
(2) バス９２
(3) ネットワークインタフェース部９１と共にバス９２に接続されたプロセッサ９３、外部記憶装置９４および緊急情報処理部９５
【００８２】
本実施形態の特徴は、緊急情報サーバ９０Ａの各部とコンテンツサーバ１０Ｂとが以下の通りに連係する点にある。
【００８３】
コンテンツサーバ１０Ｂは、既述の第一の実施形態と同様に、ネットワーク２０を介して番組コンテンツを転送する。しかし、このような番組コンテンツの転送先は、番組送出装置３０（放送局８０）ではなく、緊急情報サーバ９０Ａに設定される。さらに、上記番組コンテンツの転送は、ネットワーク２０で生じる伝送遅延時間と緊急情報サーバ９０Ａの最大の応答時間との和以上に亘って、時間軸上で先行して行われる。
【００８４】
緊急情報サーバ９０Ａでは、ネットワークインタフェース部９１は、プロセッサ９３の配下で外部記憶装置９４と連係し、上述したようにコンテンツサーバ１０Ｂから転送された番組コンテンツを外部記憶装置９４に適宜蓄積する。
【００８５】
緊急情報が配信されていない通常状態では、緊急情報サーバ９０Ａに備えられたプロセッサ９３は、外部記憶装置９４に蓄積された番組コンテンツの内、番組送出装置３０から与えられた要求に対応する番組コンテンツを特定する。
【００８６】
ネットワークインタフェース部９１は、プロセッサ９４の配下で作動し、外部記憶装置１４との間にバス１２を介して形成されたＤＭＡチャネルを介してネットワーク２０に、上記特定された番組コンテンツを引き渡す。
【００８７】
したがって、このような番組コンテンツは、番組送出装置３０および多重化装置４０によってＴＳストリームに変換され、さらに、送信機５０Ａ-Cによって放送波として無線ゾーン６０Zに送信される。
【００８８】
また、緊急情報サーバ９０Ａでは、プロセッサ９３は、地震、洪水、津波、大規模火災その他の緊急状態が予測され、あるいは発生したことを示す緊急情報を識別すると、緊急情報処理部９５を起動し、その緊急情報処理部９５とネットワークインタフェース部９１との間にＤＭＡチャネルを形成する。
【００８９】
緊急情報処理部９５は、上記緊急情報を示し、かつ既述の番組コンテンツと代替されるべき「緊急番組コンテンツ」を生成する。なお、このような緊急番組コンテンツは、例えば、ネットワーク２０を介してコンテンツサーバ１０Ｂから配信され、あるいは外部記憶装置９４の特定の記憶領域に予め蓄積されていてもよい。
【００９０】
さらに、緊急情報処理部９５は、上記ＤＭＡチャネルおよびネットインタフェース部９１を介してネットワーク２０に上記「緊急番組コンテンツ」を送出する。
【００９１】
放送局８０では、番組送出装置３０および多重化装置４０は、その緊急番組コンテンツをＴＳストリームに変換し、さらに、送信機５０Ａ-Cを介して無線ゾーン６０Zに緊急放送波として送信する。
【００９２】
すなわち、送信機５０Ａ-1〜５０Ａ-nによって行われる送信の対象であるセグメントは、何れも、緊急時には、通常放送波に代わる緊急放送波の送信（放送）に供される。
【００９３】
携帯端末７１、テレビ７２、ラジオ７３のユーザは、通常放送波が受信されていたセグメントから他のセグメントに受信の対象を切り替えることなく、緊急情報を視聴することができる。したがって、従来例に比べて緊急情報の視聴にかかわる操作が大幅に簡略化され、その操作に伴う緊急情報の伝達の遅れが回避される。
【００９４】
また、本実施形態では、緊急情報サーバ９０Ａは、既述の各部の基本的な動作を実現するネットワークインタフェース部９１、プロセッサ９３および外部記憶装置９４に、緊急情報処理部９５が付加される軽微の構成の変更により実現される。
【００９５】
したがって、本実施形態に係る放送系では、既存の構成が大幅に変更されることなく、かつ安価に緊急情報の伝達の効率化および即時化が図られる。
【００９６】
なお、上述した各実施形態では、コンテンツサーバ１０（１０Ａ、１０Ｂ）、番組送出装置３０（３０Ａ）、多重化装置４０、送信機５０-1〜５０-n（５０Ａ-1〜５０Ａ-n）、アンテナ６０-1〜６０-nおよび緊急情報サーバ９０（９０Ａ）は、既述の連係が実現されるならば、共通のサイトや局舎に配置されてもよく、あるいは如何なるサイトに分散されて配置されてもよい。
【００９７】
また、ネットワーク２０は、必ずしもインタネット等のコンピュータネットワークでなくてもよく、例えば、本発明が適用される放送系のために敷設された私設網、あるいは既述の連係を実現するために必要な信号や情報の引き渡しを実現する多様な線路や伝送路で代替されてもよい。
【００９８】
さらに、これらの私設網や伝送路を介する連係のために行われる伝送や通信には、如何なる伝送方式や通信手順が適用されてもよい。
【００９９】
また、上述した各実施形態では、例えば、コンテンツサーバ１０（１０Ａ）や緊急情報サーバ９０Ａから転送される番組コンテンツ（緊急番組コンテンツ）が即時に通常放送波や緊急放送波として無線ゾーン６０Ｚに送信される場合には、番組送出装置３０（３０Ａ）は、備えられなくてもよい。
【０１００】
さらに、上述した各実施形態では、番組送出装置３０（３０Ａ）は、多重化装置４０に一体化され、あるいはその多重化装置４０に着脱可能なユニットやモジュールとして構成されてもよい。
【０１０１】
また、上述した各実施形態は、アンテナ６０-1〜６０-nが同軸ケーブルや光伝送路で代替されることにより、ケーブルテレビジョンの放送系として構成されてもよい。
【０１０２】
さらに、上述した各実施形態では、コンテンツサーバ１０（１０Ａ、１０Ｂ）、番組送出装置３０（３０Ａ）、多重化装置４０、送信機５０-1〜５０-n（５０Ａ-1〜５０Ａ-n）、アンテナ６０-1〜６０-nおよび緊急情報サーバ９０（９０Ａ）は、機能分散が如何なる形態で図られた装置の組み合わせとして構成されてもよい。
【０１０３】
また、上述した各実施形態では、送信機５０-1〜５０-n（５０Ａ-1〜５０Ａ-n）の全て一部は、特定の狭い地域における自主放送に供される送信機であってもよい。
【０１０４】
さらに、上述した各実施形態では、緊急状態および緊急情報は、緊急情報サーバ９０によってネットワークを介して通知されている。
しかし、このような緊急状態および緊急情報は、例えば、図１ないし図４に点線枠で示すように、送信機５０-c、番組送出装置３０Ａ、緊急情報サーバ９０Ａ、コンテンツサーバ１０Ａの全てまたは一部に配置されたセンサによって与えられ、あるいは制御端末８１や図示されないコンソールによって与えられてもよい。
【０１０５】
また、上述した各実施形態では、送信機５０-1〜５０-n（５０Ａ-1〜５０Ａ-n）は、個別に既定のワンセグメントのみに対して通常放送波または緊急放送波を送信し、これらの放送波が送信されるセグメントは変更されていない。
しかし、本発明はこのような構成に限定されず、緊急放送波は、例えば、以下の何れの形態で送信されてもよい。
【０１０６】
(1) 送信機５０-1〜５０-n（５０Ａ-1〜５０Ａ-n）の何れによって形成される無線ゾーンも共通である場合、これらの送信機５０-1〜５０-n（５０Ａ-1〜５０Ａ-n）の内、特定の１つのみが（放送が許容され、あるいは放送可能である）全てのセグメントに対して緊急放送波を送信し、残りの送信機は送信動作を停止する。
【０１０７】
(2) 送信機５０-1〜５０-n（５０Ａ-1〜５０Ａ-n）によってそれぞれ形成される無線ゾーンが異なる場合、これらの送信機５０-1〜５０-n（５０Ａ-1〜５０Ａ-n）の全てまたは一部がこれらの無線ゾーンに対して緊急放送波を送信し、残りの送信機は送信動作を停止する。
【０１０８】
このような緊急放送波の送信は、隣接する無線ゾーン（送信機５０-1〜５０-n（５０Ａ-1〜５０Ａ-n）以外の送信機によって形成される他の無線ゾーンを含む。）に対する混信や干渉が回避または許容されるように、これらの送信機５０-1〜５０-n（５０Ａ-1〜５０Ａ-n）が設置されたサイト（局舎）の地理的配置および地形に併せて、アンテナ６０-1〜６０-nの指向性および送信電力が総合的に勘案されて設定され、必要であれば、アンテナ６０-1〜６０-nの指向性のビームフォーミングおよび送信電力の変更が適宜行われてもよい。
【０１０９】
また、上記(1)、(2)の形態で緊急放送波を送信する送信機は、例えば、本願と同一の出願人にかかる先の特許出願「送信装置およびこれを利用した送信システム」（特願２００８−３０９０２２号、特願２００８−３０９０２３号）に係る送信装置が適用されてもよい。
【０１１０】
さらに、上述した各実施形態では、本発明は、地上波ディジタル放送に適用されている。
しかし、本発明は、以下に列記する放送にも同様に適用可能である。
(1) 「自主放送」には該当しないメジャーな画像放送、文字放送、音声（ラジオ）放送
(2) フルセグ、３セグその他の多様な数のセグメントを介して行われる放送
【０１１１】
また、本発明は、既述の地震、洪水、津波、大規模火災だけではなく、例えば、台風や大雨等の災害、交通機関の事故、遅延、スト等々のように、緊急性を要し、かつ大勢のユーザに速やかに伝達されるべき多様な情報の放送にも同様に適用可能である。
【０１１２】
さらに、本発明は、上述した実施形態に限定されず、本発明の範囲において多様な実施形態の構成が可能であり、構成要素の全てまたは一部に如何なる改良が施されてもよい。
【０１１３】
以下、本願に開示された発明を整理し、「特許請求の範囲」の欄に対する記載から除外された本発明の構成、手段および効果を「特許請求の範囲」および「課題を解決するための手段」の欄の記載に準じた様式により列記する。
【０１１４】
［１］  請求項１に記載の放送装置において、
前記制御手段は、
前記ディジタル放送を行う系の構成に基づいて前記緊急情報の送信の対象となるべきセグメントを特定し、前記特定されたセグメントを介して前記緊急情報を送信する
ことを特徴とする放送装置。
このような構成の放送装置では、前記制御手段は、前記ディジタル放送を行う系の構成に基づいて前記緊急情報の送信の対象となるべきセグメントを特定し、前記特定されたセグメントを介して前記緊急情報を送信する。
【０１１５】
すなわち、緊急情報の送信は、通常時に番組の放送に供されていたセグメントだけではなく、上記ディジタル放送を行う系の構成に基づいて特定されるセグメントを介して行われる。
【０１１６】
したがって、緊急時には、緊急情報は適用可能なセグメントを介して送信され、これらのセグメントの全てに対する緊急情報の送信は、これらのセグメントの数の如何にかかわらず、正常に稼働し、かつ速やかに応答可能な放送装置に優先的に割り振られる。
【０１１７】
［２］  請求項１に記載の放送装置において、
前記制御手段は、
前記ディジタル放送を行う系の構成に基づいて前記緊急情報の送信の対象となるべきセグメントの全てを特定し、前記特定されたセグメントを介して前記緊急情報を送信する
ことを特徴とする放送装置。
【０１１８】
このような構成の放送装置では、前記制御手段は、前記ディジタル放送を行う系の構成に基づいて前記緊急情報の送信の対象となるべきセグメントの全てを特定し、前記特定されたセグメントを介して前記緊急情報を送信する。
【０１１９】
すなわち、緊急情報の送信は、通常時における番組の放送に供されていたセグメントだけではなく、上記ディジタル放送を行う系の構成に基づいて特定されるセグメントの全てを介して行われる。
【０１２０】
したがって、緊急時には、緊急情報は適用可能なセグメントの全てを介して送信され、これらのセグメントの全てに対する緊急情報の送信は、これらのセグメントの数の如何にかかわらず、正常に稼働し、かつ速やかに応答可能な放送装置に優先的に割り振られる。
【０１２１】
［３］  請求項１に記載の放送装置において、
前記緊急情報は、
前記緊急時に外部から与えられる
ことを特徴とする放送装置。
【０１２２】
このような構成の放送装置では、前記緊急情報は、前記緊急時に外部から与えられる。
すなわち、緊急情報の送信のきっかけは、本発明に係る放送装置と連係可能なセンサや機関によって与えられる。
したがって、本発明が適用された放送系は、多様な緊急時に対する柔軟な適応が可能となる。
【０１２３】
［４］  請求項１に記載の放送装置において、
前記緊急時に前記緊急情報の情報源から前記緊急情報を取得する緊急情報取得手段を備えた
ことを特徴とする放送装置。
【０１２４】
このような構成の放送装置では、緊急情報取得手段は、前記緊急時に前記緊急情報の情報源から前記緊急情報を取得する。
すなわち、緊急情報の送信のきっかけは、プッシュ型だけではなくプル型の情報源からも得ることができる。
【０１２５】
したがって、本発明が適用された放送系は、緊急情報およびその緊急情報の送信のきっかけを多様なセンサや機関から得ることができる。
【０１２６】
［５］  請求項１に記載の放送装置において、
前記緊急時に対応して前記緊急情報が予め記録された記憶手段を備えた
ことを特徴とする放送装置。
このような構成の放送装置では、記憶手段には、前記緊急時に対応して前記緊急情報が予め記録される。
【０１２７】
すなわち、緊急時に送信されるべき緊急情報は、上記記憶手段に予め記録されているために通信路や伝送路の確保の手順の省略が可能となって即時に得られる。
【０１２８】
したがって、本発明が適用された放送系では、緊急時における緊急情報の放送が速やかに開始される。
【０１２９】
［６］  請求項２に記載の番組送出装置において、
前記制御手段は、
前記放送系の構成に基づいて前記緊急情報が送出されるべき送出先を特定する
ことを特徴とする番組送出装置。
【０１３０】
このような構成の番組送出装置では、前記制御手段は、前記放送系の構成に基づいて前記緊急情報が送出されるべき送出先を特定する。
【０１３１】
すなわち、緊急情報の送出は、通常時における番組の放送に供されていたセグメントに対応する送信先だけではなく、上記放送系の構成に基づいて特定された送出先に対しても行われる。
【０１３２】
したがって、緊急時には、緊急情報は適用可能なセグメントを介して送信され、これらのセグメントの全てに対する緊急情報の送信は、これらのセグメントの数の如何にかかわらず、正常に稼働し、かつ速やかに応答可能な放送装置に優先的に割り振られる。
【０１３３】
［７］  請求項２に記載の番組送出装置において、
前記制御手段は、
前記放送系の構成に基づいて前記緊急情報が送出されるべき送出先の全てを特定する
ことを特徴とする番組送出装置。
【０１３４】
このような構成の番組送出装置では、前記制御手段は、前記放送系の構成に基づいて前記緊急情報が送出されるべき送出先の全てを特定する。
【０１３５】
すなわち、緊急情報の送出は、通常時における番組の放送に供されていたセグメントに対応する送信先だけではなく、上記放送系の構成に基づいて特定された送出先の全てに対して行われる。
【０１３６】
したがって、緊急時には、緊急情報は適用可能なセグメントの全てを介して送信され、これらのセグメントの全てに対する緊急情報の送信は、これらのセグメントの数の如何にかかわらず、正常に稼働し、かつ速やかに応答可能な放送装置に優先的に割り振られる。
【０１３７】
［８］  請求項２に記載の番組送出装置において、
前記緊急情報は、
前記緊急時に外部から与えられる
ことを特徴とする番組送出装置。
このような構成の番組送出装置では、前記緊急情報は、前記緊急時に外部から与えられる。
【０１３８】
すなわち、緊急情報の送出のきっかけは、本発明に係る番組送出装置と連係可能なセンサや機関によって与えられる。
【０１３９】
したがって、本発明が適用された放送系は、多様な緊急時に対する柔軟な適応が可能となる。
【０１４０】
［９］  請求項２に記載の番組送出装置において、
前記緊急時に前記緊急情報の情報源から前記緊急情報を取得する緊急情報取得手段を備えた
ことを特徴とする番組送出装置。
【０１４１】
このような構成の番組送出装置では、緊急情報取得手段は、前記緊急時に前記緊急情報の情報源から前記緊急情報を取得する。
【０１４２】
すなわち、緊急情報の送出のきっかけは、プッシュ型だけではなくプル型の情報源からも得ることができる。
【０１４３】
したがって、本発明が適用された放送系は、緊急情報およびその緊急情報の送信のきっかけが多様なセンサや機関から得ることができる。
【０１４４】
［１０］  請求項２に記載の番組送出装置において、
前記緊急時に対応して前記緊急情報が予め記録された記憶手段を備えた
ことを特徴とする番組送出装置。
このような構成の番組送出装置では、記憶手段には、前記緊急時に対応して前記緊急情報が予め記録される。
【０１４５】
すなわち、緊急時に送信されるべき緊急情報は、上記記憶手段に予め記録されているために通信路や伝送路の確保の手順の省略が可能となって即時に得られる。
【０１４６】
したがって、本発明が適用された放送系では、緊急時における緊急情報の放送が速やかに開始される。
【０１４７】
［１１］  請求項３に記載の番組配信装置において、
前記制御手段は、
前記放送系の構成に基づいて前記緊急情報が配信されるべき配信先を特定する
ことを特徴とする番組配信装置。
【０１４８】
このような構成の番組配信装置では、前記制御手段は、前記放送系の構成に基づいて前記緊急情報が配信されるべき配信先を特定する。
【０１４９】
すなわち、緊急情報の配信は、通常時における番組の放送に供されていたセグメントに対応する配信先だけではなく、上記放送系の構成に基づいて特定された配信先に対しても行われる。
【０１５０】
したがって、緊急時には、緊急情報は適用可能なセグメントを介して送信され、これらのセグメントの全てに対する緊急情報の送信は、これらのセグメントの数の如何にかかわらず、正常に稼働し、かつ速やかに応答可能な放送装置に優先的に割り振られる。
【０１５１】
［１２］  請求項３に記載の番組配信装置において、
前記制御手段は、
前記放送系の構成に基づいて前記緊急情報が配信されるべき配信先の全てを特定する
前記放送系が複数ある
ことを特徴とする番組配信装置。
【０１５２】
このような構成の番組配信装置では、前記制御手段は、前記放送系の構成に基づいて前記緊急情報が配信されるべき配信先の全てを特定する。
【０１５３】
すなわち、緊急情報の配信は、通常時における番組の放送に供されていたセグメントに対応する配信先だけではなく、上記放送系の構成に基づいて特定された配信先の全てに対して行われる。
【０１５４】
したがって、緊急時には、緊急情報は適用可能なセグメントの全てを介して送信され、これらのセグメントの全てに対する緊急情報の送信は、これらのセグメントの数の如何にかかわらず、正常に稼働し、かつ速やかに応答可能な放送装置に優先的に割り振られる。
【０１５５】
［１３］  請求項３に記載の番組配信装置において、
前記緊急情報は、
前記緊急時に外部から与えられる
ことを特徴とする番組配信装置。
このような構成の番組配信装置では、前記緊急情報は、前記緊急時に外部から与えられる。
【０１５６】
すなわち、緊急情報の配信のきっかけは、本発明に係る番組配信装置と連係可能なセンサや機関によって与えられる。
【０１５７】
したがって、本発明が適用された放送系は、多様な緊急時に対する柔軟な適応が可能となる。
【０１５８】
［１４］  請求項３に記載の番組配信装置において、
前記緊急時に前記緊急情報の情報源から前記緊急情報を取得する緊急情報取得手段を備えた
ことを特徴とする番組配信装置。
【０１５９】
このような構成の番組配信装置では、緊急情報取得手段は、前記緊急時に前記緊急情報の情報源から前記緊急情報を取得する。
【０１６０】
すなわち、緊急情報の配信のきっかけは、プッシュ型だけではなくプル型の情報源からも得ることができる。
【０１６１】
したがって、本発明が適用された放送系は、緊急情報およびその緊急情報の送信のきっかけが多様なセンサや機関から得ることができる。
【０１６２】
［１５］  請求項３に記載の番組配信装置において、
前記緊急情報が予め記録された記憶手段を備えた
ことを特徴とする番組配信装置。
このような構成の番組配信装置では、前記記憶手段には、前記緊急情報が予め記録される。
【０１６３】
すなわち、緊急時に配信されるべき緊急情報は、上記記憶手段に予め記録されているために通信路や伝送路の確保の手順の省略が可能となって即時に得られる。。
【０１６４】
したがって、本発明が適用された放送系では、緊急時における緊急情報の放送が速やかに開始される。
【符号の説明】
【０１７９】
１０，１０Ａ，１０Ｂ  コンテンツサーバ
１１，３２，９１  ネットワークインタフェース部
１２，３１，９２  バス
１３，３４，５５，９３  プロセッサ
１４，３６，９４  外部記憶装置
１５，３５，５１，９５  緊急情報処理部
２０  ネットワーク
３０，３０Ａ  番組送出装置
３３  ポート対応部
４０  多重化装置
５０，５０Ａ  送信機
５２  切り替え器
５３  変調器
５４  電力増幅器
６０  アンテナ
６０Ｚ  無線ゾーン
７１  携帯端末
７２  テレビ
７３  ラジオ
８０  放送局
８１  制御端末
９０，９０Ａ  緊急情報サーバ
【図１】
0005593101.tif 000002
【図２】
0005593101.tif 000003
【図３】
0005593101.tif 000004
【図４】
0005593101.tif 000005